(57)【要約】【課題】放射線あるいはＸ線防護衣を体液等の汚染から防止して、殺菌消毒する必要なしに繰り返し着用することを可能とするディスポーザブル滅菌衣を提供する。【解決手段】下端（１ｂ）が開口している袋状のシート（１）の上端シール（２）中央部を人の頭部が貫通できる大きさに型抜きしてなるネック部（３）と、前記シート上端シール（２）の両端部からシート両側上部にかけて人の腕が貫通できる大きさに型抜きしてなるハンド部（４ａ，４ｂ）を有してなり、前記ネック部（３）には下端（１ｂ）方向に切れ目（５）が入れられていることを特徴とするワンピース型のディスポーザブル滅菌衣。【選択図】  図２
2004187913.tif 000002
【特許請求の範囲】
【請求項１】
下端（１ｂ）が開口している袋状のシート（１）の上端シール（２）中央部を人の頭部が貫通できる大きさに型抜きしてなるネック部（３）と、前記上端シール（２）の両端部からシート両側上部にかけて人の腕が貫通できる大きさに型抜きしてなるハンド部（４ａ，４ｂ）を有してなり、前記ネック部（３）には下端（１ｂ）方向に切れ目（５）が入れられていることを特徴とするワンピース型のディスポーザブル滅菌衣。
【請求項２】
放射線及び／またはＸ線防護衣の上に着用して使用される請求項１に記載のディスポーザブル滅菌衣。
【請求項３】
折り畳まれて滅菌袋（６）に収納・シールされている請求項１また２に記載のディスポーザブル滅菌衣。
【請求項４】
袋状シート（１）が耐水性ないし撥水性である請求項１乃至３のいずれかに記載のディスポーザブル滅菌衣。
【請求項５】
袋状シート（１）が樹脂製またはラミネート樹脂製である請求項１乃至４のいずれかに記載のディスポーザブル滅菌衣。
【請求項６】
滅菌袋（６）が樹脂製である請求項３に記載のディスポーザブル滅菌衣。
【請求項７】
樹脂がポリオレフィン系材料からなる請求項５または６に記載のディスポーザブル滅菌衣。
【発明の詳細な説明】
【０００１】
【発明の属する技術分野】
本発明は医療関係者が着用するワンピース型のディスポーザブル滅菌衣に関する。更に詳しく言えば、病院において手術室等で、作業衣の汚染を防ぐために着用される滅菌衣、特に医療関係者（医師、看護師）が放射線あるいはＸ線防護衣の上に着用するディスポーザブル滅菌衣に関する。
【０００２】
【従来の技術】
病院の外科病棟で手術を行う関係者（医師及びその補助者）が着用する手術衣は患者の体液（血液を含む）で汚染される場合がある。汚染された手術衣は汚染が酷い場合は廃棄処分されるが、多くの場合には繰り返し使用するために洗浄し、消毒液で殺菌処理されている。
ところで、手術に際しては、放射線あるいはＸ線発生機器が使用される場合があり、放射線、Ｘ線の人体への被爆を防止のため医師や看護師は放射線、Ｘ線被爆防止用の防護衣を着用して手術を行い、あるいは手術の補助をしているが、この防護衣は特殊材料を使用した高価なものであるため繰り返し使用される。
【０００３】
放射線あるいはＸ線防護衣（以下、単に防護衣という。）が、患者の体液等で汚染された場合には、術後水洗いし、消毒液で殺菌して次の手術に備えられる。血液が防護衣に付着したときには目視で確認でき、水洗、乾燥、消毒処理が行われるが、目視確認できる汚染が全くない場合には水洗処理は行われず、消毒処理のみ行われる場合もある。また、病原菌による汚染は目視確認が不能であり、目視確認できる汚染が全くない場合には消毒処理を怠る可能性も考えられる。特に防護衣は通常、保管室に保管され作業時に着用されので雑菌に晒される可能性があり、防護衣を介した患者への二次感染の恐れもある。また消毒処理は菌の完全な死滅を意味しておらず、殺菌処理後の残存生存菌がその後繁殖する可能性もある。
【０００４】
【発明が解決しようとする課題】
防護衣を常に清潔にして繰り返し使用するには、着用の度ごとに水洗いと完全な殺菌を行えばよいが、相応の費用と手間を要する。そこで、簡易な方法で防護衣を体液や院内の雑菌で汚染させないようにするか、汚染されている可能性のある防護衣からの二次感染を防ぐ措置を講じて、着用し、手術に対応できるような手段が求められている。
【０００５】
【課題を解決する手段】
このような防護衣についての課題を解決するために、本発明者は簡易に製造でき、しかも着衣と脱衣が容易で、使用後は焼却等の処分ができるディスポーザブル（使い捨て可能）防護衣用滅菌衣を案出し、本発明を完成させた。
【０００６】
すなわち、本発明によれば以下のディスポーザブル滅菌衣が提供される。
１．下端（１ｂ）が開口している袋状のシート（１）の上端シール（２）中央部を人の頭部が貫通できる大きさに型抜きしてなるネック部（３）と、前記上端シール（２）の両端部からシート両側上部にかけて人の腕が貫通できる大きさに型抜きしてなるハンド部（４ａ，４ｂ）を有してなり、前記ネック部（３）には下端（１ｂ）方向に切れ目（５）が入れられていることを特徴とするワンピース型のディスポーザブル滅菌衣。
２．放射線及び／またはＸ線防護衣の上に着用して使用される前項１に記載のディスポーザブル滅菌衣。
３．折り畳まれて滅菌袋（６）に収納・シールされている前項１また２に記載のディスポーザブル滅菌衣。
４．袋状シート（１）が耐水性ないし撥水性である前項１乃至３のいずれかに記載のディスポーザブル滅菌衣。
５．袋状シート（１）が樹脂製またはラミネート樹脂製である前項１乃至４のいずれかに記載のディスポーザブル滅菌衣。
６．滅菌袋（６）が樹脂製である前項３に記載のディスポーザブル滅菌衣。
７．樹脂がポリオレフィン系材料からなる前項５または６に記載のディスポーザブル滅菌衣。
【０００７】
【発明の実施の形態】
以下、図面を参照しつつ本発明のディスポーザブル滅菌衣の内容を説明する。
図１は本発明ディスポーザブル滅菌衣（１０）を作る材料となる袋状のシート（１）であり、上端（１ａ）がヒートシール等の密封手段でシールされ、下端（１ｂ）は開口している。シート（１）としては、それから制作される滅菌衣（１０）を、図８に例示する防護衣（８）を着用した医師や看護師がその上に重ね着して、防護衣（８）を充分に覆うことができる大きさを有し、耐水性ないし撥水性で容易に破断しない強度を具えると共に体液や細菌を透過させない気密性を有し、使用後焼却処分等が容易でかつ安価に入手できる材料が好ましい。
【０００８】
具体的には、たとえば樹脂製シートまたは樹脂によりラミネートされたシートを使用するとよい。用いる樹脂製シートの材料としては、たとえば熱可塑性プラスチック材料が好適であり、中でもポリエチレン、ポリプロピレンなどのポリオレフィン系材料が優れている。また樹脂によりラミネートされたシートとしては、たとえば不織布、紙等のシート状基材を前記樹脂でラミネートしたものが挙げられる。
【０００９】
前記シート（１）のシール（２）中央部は人の頭部が貫通できる大きさに型抜きされてネック部（３）が形成されている。このネック部（３）の形状は特に限定されないが、例えば下方に向かって湾曲している湾曲形、半円形、下方に向かって狭まるＶネック型または方形にすることができる（図２、図３、図４参照）。いずれの形状の場合にもネック部（３）の面積は人の頭部が貫通できる範囲でできるだけ小さくすることが内部に着用している防護衣（８）が露呈しないことから好ましい。
ネック部（３）の型抜きは、シート（１）の表裏二面を同時に行うのがディスポーザブル滅菌衣（１０）として使用しやすく、また型抜き作業効率から好ましいが、表面または裏面のみを型抜きするようにしてもよい。裏面のみを型抜きすれば、患者に向かう表面の防護衣は完全にシート（１）、すなわちディスポーザブル滅菌衣（１０）で覆われることになり汚染防止上好都合である。
【００１０】
前記ネック部（３）には下端（１ｂ）方向に切れ目（５）が入れられている。この切れ目（５）はディスポーザブル滅菌衣（１０）の使用後に、ハサミやナイフによらず手でこれを破ることができるようにするためのものであり、シート（１）の下方に向けて２〜３ｃｍ程度の長さで垂直に切り下げられる。この切れ目（５）を設ける場所はネック部（３）の任意の箇所に定めればよいが、中央部最下端が好ましい。
なお、この切れ目（５）は、シート（１）の表裏二面にわたってネック部（３）が設けられている場合には表裏それぞれに１つ、また切れ目（５）が表または裏面のいずれかに設けられている場合にはそこに１つ設けるが、これに限らず、適当間隔を開けて複数設けてもよく、またシート（１）の表裏二面にわたってネック部（３）が設けられている場合、いずれかの一面のみに、２または複数設けてもよい。
【００１１】
一方、前記シート上端シール（２）の両端部からシート（１）両側上部にかけて人の腕が貫通できる大きさに型抜きされてハンド部（４ａ、４ｂ）が形成されている。本発明のディスポーザブル滅菌衣（１０）の着衣者は、前記シート（１）の下端（１ｂ）を開き、両腕をそれぞれ左右のハンド部（４ａ、４ｂ）に通して突き出すようにして頭から被り、次いで頭部をネック部（３）に通して突き出させて着衣する。従って、前記ハンド部（４ａ、４ｂ）は防護衣着用者の袖が充分に通る大きさとする。
これらハンド部（４ａ、４ｂ）の型抜きも、前記ネック部（３）と同様にシート（１）の表裏二面を同時に行うのがディスポーザブル滅菌衣（１０）の使用上および型抜き作業効率的に好ましいが、表面または裏面のみを型抜きするようにしてもよい。裏面のみを型抜きすれば、患者に向かう防護衣（８）の表面は完全にディスポーザブル滅菌衣（１０）で覆われることになって汚染防止上好都合である。
また型抜きするハンド部（４ａ、４ｂ）の形状は、図２に示すようにシート（１）の内方に向かって湾曲するような湾曲形ないし半円形にするが、これに限らず図３に示すように直線状にしてもよく、好みにより任意に定めればよい。
【００１２】
このようにして型抜き成形したシートであるディスポーザブル滅菌衣（１０）は、たとえば図５に示すように二つ折りにしてから、極力小さく折り畳んで滅菌袋（６）に一個ずつ、好ましくは市販のポリエチレン手袋（７）と共に収納し、ヒートシールして密封した後滅菌する。
前記滅菌袋（６）は、滅菌状態を維持できるように作られる。すなわち、この滅菌袋（６）は耐水性ないし撥水性で、病原菌や雑菌を通さない気密性を有する必要があり、さらに使用後は焼却処分等されることから容易かつ安価に入手できる材料で作るのが好ましい。従って、その材料としては前記シート（１）に用いるのと同じく、樹脂製シートまたは樹脂によりラミネートされたシートを使用すればよい。
【００１３】
前記滅菌袋（６）およびこれに納入されているディスポーザブル滅菌衣（１０）の滅菌手段としては、該滅菌衣（１０）が幾重にも折り畳まれていて重なる部分が多いためガスの通りが悪くなっている。このため通常行われているエチレンオキサイドガスによる滅菌袋（６）内の密封前滅菌では不十分であり、密封した滅菌袋（６）を電子線や放射線により滅菌するのがよい。
【００１４】
本発明のディスポーザブル滅菌衣（１０）は上述の構成のものであり、これを次のようにして使用する。まず防護衣（８）を着用した医療関係者（医師、看護師）が滅菌袋（６）を開封して、滅菌衣と共に収納されている滅菌されたポリエチレン製の手袋を嵌める。次に滅菌手袋を嵌めた手で、折り畳まれている滅菌衣（１０）を取り出して裾、すなわち、下端（１ｂ）を開き、両腕をそれぞれ左右のハンド部（４ａ、４ｂ）に通して突き出すようにして頭から被り、次いで頭部をネック部（３）に通して突き出させ、ポリエチレン手袋（７）を嵌めた両手で裾（１ｂ）を掴んで下におろす。
このようにして滅菌衣（１０）を着用した後、手術作業あるいは補助作業を行うが、この滅菌衣は防護衣（８）を完全に被覆しているので直接患者の体液等で汚染されることはない。
術後は、図７に示すように滅菌衣（１０）を着たままの状態で、ネック部（３）に設けてある切れ目（５）の部分を両手で掴み左右方向に引っ張る。この引っ張り力で滅菌衣をネック部（３）の切れ目（５）から、約３０ｃｍほど下方まで引き裂くように破ると、滅菌衣は着用者の両肩から容易に外せ、下方へ脱ぎ捨てることができる。現在、多くのポリオレフィン製袋用のチュ−ブはブロワー成形法により製造されているが、ブロワー成形法では通常縦方向に延伸処理されているため、切れ目を起点にして縦方向に容易に破ることができるため、このような脱衣を極めて簡単に行うことができる。
このようにして使用された滅菌衣（１０）は適宜焼却処分に付される。
【００１５】
【発明の効果】
本発明ディスポーザブル滅菌衣は簡易に製造できて着衣と脱衣が容易であり、使用後は焼却等の処分をすることができる。しかも、防護衣が体液や手術室内の雑菌から汚染されるのを防ぐことができ、滅菌状態を維持できる。このため手術ごとに防護衣を殺菌消毒する作業が不要となり、繰り返し着用できる。また、本発明ディスポーザブル滅菌衣を使用することにより着衣や防護衣からの二次汚染を確実に防止できる。
【図面の簡単な説明】
【図１】本発明ディスポーザブル滅菌衣を作る袋状のシートの平面図である。
【図２】本発明ディスポーザブル滅菌衣例の平面図である。
【図３】本発明ディスポーザブル滅菌衣の他の例平面図である。
【図４】本発明ディスポーザブル滅菌衣例の別の例の平面図である。
【図５】本発明ディスポーザブル滅菌衣を二つ折りした状態を示す平面図である。
【図６】本発明ディスポーザブル滅菌衣を滅菌袋に密封した状態を示す平面図である。
【図７】本発明ディスポーザブル滅菌衣を使用後破る状態を示す平面図である。
【図８】本発明ディスポーザブル滅菌衣の下に着用する防護衣の平面図である。
【符号の説明】
１  袋状のシート
１ａ  袋状シートの上端
１ｂ  袋状シートの下端
２  シール
３  ネック部
４  ハンド部
５  切れ目
６  滅菌袋
７  ポリエチレン手袋
８  防護衣
１０  ディスポーザブル滅菌衣
【図１】
2004187913.tif 000003
【図２】
2004187913.tif 000004
【図３】
2004187913.tif 000005
【図４】
2004187913.tif 000006
【図５】
2004187913.tif 000007
【図６】
2004187913.tif 000008
【図７】
2004187913.tif 000009
【図８】
2004187913.tif 000010